【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
画像処理装置であって、
文書管理サーバにおいて管理されている文書の一覧を表示する表示手段と、
前記表示手段に表示された一覧中の文書を選択的に印刷する印刷手段と、
前記文書管理サーバにおいて管理されている文書に付加された印刷設定と、前記印刷手段の印刷能力とを比較する比較手段と、
を有し、
前記表示手段は、前記一覧を表示する際に、前記比較手段による比較の結果に基づいて、前記印刷手段の印刷能力によっては実現できない印刷設定が付加された文書を、他の文書と識別可能な形態で表示することを特徴とする画像処理装置。
【請求項２】
前記表示手段は、前記文書の属性情報を一覧表示する際に、前記印刷手段の印刷能力によっては実現できない印刷設定が付加された文書を、他の文書と識別可能に表示することを特徴とする請求項１に記載の画像処理装置。
【請求項３】
前記表示手段は、前記文書の縮小画像を一覧表示する際に、前記印刷手段の印刷能力によっては実現できない印刷設定が付加された文書を、他の文書と識別可能に表示することを特徴とする請求項１に記載の画像処理装置。
【請求項４】
前記表示手段は、前記印刷手段の印刷能力によっては実現できない印刷設定を、前記印刷手段の印刷能力によって実現できる印刷設定と識別可能に表示することを特徴とする請求項１に記載の画像処理装置。
【請求項５】
前記表示手段は、前記印刷設定をアイコン表示することを特徴とする請求項４に記載の画像処理装置。
【請求項６】
前記表示手段によって表示された印刷設定を選択してその内容を変更する変更手段を更に有することを特徴とする請求項４または５に記載の画像処理装置。
【請求項７】
前記比較手段は、前記文書管理サーバにおいて管理されている文書に付加された印刷設定と、前記印刷手段の印刷能力とをページ単位で比較し、前記表示手段は、前記印刷手段の印刷能力によっては実現できない印刷設定が付加されたページを、他のページと識別可能に表示することを特徴とする請求項１乃至６の何れかに記載の画像処理装置。
【請求項８】
前記比較手段は、前記文書管理サーバにおいて管理されている文書に付加された印刷設定と、前記印刷手段の印刷能力とをページ単位で比較し、前記表示手段は、前記印刷手段の印刷能力によっては実現できない印刷設定が付加されたページのみを抽出して表示することを特徴とする請求項１乃至７の何れかに記載の画像処理装置。
【請求項９】
前記表示手段は、前記印刷手段の印刷能力によっては実現できない印刷設定が付加されたページのみを、そのページの属性情報と共に一覧表示することを特徴とする請求項８に記載の画像処理装置。
【請求項１０】
表示手段を有する画像処理装置の制御方法であって、
文書管理サーバにおいて管理されている文書に付加された印刷設定と、前記画像処理装置の印刷能力とを比較する比較工程と、
前記文書管理サーバにおいて管理されている文書の一覧を表示する際に、前記比較工程における比較の結果に基づいて、前記画像処理装置の印刷能力によっては実現できない印刷設定が付加された文書を、他の文書と識別可能な形態で表示するように表示手段を制御する制御工程と、
前記表示手段に表示された一覧中の文書を選択的に印刷する印刷工程と、
を有することを特徴とする画像処理装置の制御方法。
【請求項１１】
表示手段を有する画像処理装置の制御プログラムであって、
前記画像処理装置において、
前記文書管理サーバにおいて管理されている文書に付加された印刷設定と、前記画像処理装置の印刷能力とを比較する比較工程と、
前記文書管理サーバにおいて管理されている文書の一覧を表示する際に、前記比較工程における比較の結果に基づいて、前記画像処理装置の印刷能力によっては実現できない印刷設定が付加された文書を、他の文書と識別可能な形態で表示するように表示手段を制御する制御工程と、
前記表示手段に表示された一覧中の文書を選択的に印刷する印刷工程と、
を実行させることを特徴とする画像処理装置の制御プログラム。
【請求項１２】
画像処理装置であって、
文書管理サーバにおいて管理されている文書の一覧を表示する表示手段と、
前記表示手段に表示された一覧中の文書を選択的に印刷する印刷手段と、
前記文書管理サーバにおいて管理されている文書に付加された印刷設定と、前記印刷手段の印刷能力とを比較する比較手段と、
を有し、
前記表示手段は、前記一覧を表示する際に、前記比較手段による比較の結果に基づいて、前記印刷手段の印刷能力によっては実現できない印刷設定が付加されていない文書を、他の文書と識別できる形態で表示することを特徴とする画像処理装置。
【手続補正２】
【補正対象書類名】明細書
【補正対象項目名】０００６
【補正方法】変更
【補正の内容】
【０００６】
上記目的を達成するため、本発明に係る画像処理装置は、文書管理サーバにおいて管理されている文書の一覧を表示する表示手段と、前記表示手段に表示された一覧中の文書を選択的に印刷する印刷手段と、前記文書管理サーバにおいて管理されている文書に付加された印刷設定と、前記印刷手段の印刷能力とを比較する比較手段と、を有し、前記表示手段は、前記一覧を表示する際に、前記比較手段による比較の結果に基づいて、前記印刷手段の印刷能力によっては実現できない印刷設定が付加された文書を、他の文書と識別されうる形態で表示することを特徴とする。
また、本発明に係る他の画像処理装置は、文書管理サーバにおいて管理されている文書の一覧を表示する表示手段と、前記表示手段に表示された一覧中の文書を選択的に印刷する印刷手段と、前記文書管理サーバにおいて管理されている文書に付加された印刷設定と、前記印刷手段の印刷能力とを比較する比較手段と、を有し、前記表示手段は、前記一覧を表示する際に、前記比較手段による比較の結果に基づいて、前記印刷手段の印刷能力によっては実現できない印刷設定が付加されていない文書を、他の文書と識別できる形態で表示することを特徴とする。
【手続補正３】
【補正対象書類名】明細書
【補正対象項目名】００１５
【補正方法】変更
【補正の内容】
【００１５】
上記目的を達成するため、本発明に係る方法は、
表示手段を有する画像処理装置の制御方法であって、
文書管理サーバにおいて管理されている文書に付加された印刷設定と、前記画像処理装置の印刷能力とを比較する比較工程と、
前記文書管理サーバにおいて管理されている文書の一覧を表示する際に、前記比較工程における比較の結果に基づいて、前記画像処理装置の印刷能力によっては実現できない印刷設定が付加された文書を、他の文書と識別可能な形態で表示するように表示手段を制御する制御工程と、
前記表示手段に表示された一覧中の文書を選択的に印刷する印刷工程と、
を有することを特徴とする。
【手続補正４】
【補正対象書類名】明細書
【補正対象項目名】００１６
【補正方法】変更
【補正の内容】
【００１６】
上記目的を達成するため、本発明に係るプログラムは、
表示手段を有する画像処理装置の制御プログラムであって、
前記画像処理装置において、
前記文書管理サーバにおいて管理されている文書に付加された印刷設定と、前記画像処理装置の印刷能力とを比較する比較工程と、
前記文書管理サーバにおいて管理されている文書の一覧を表示する際に、前記比較工程における比較の結果に基づいて、前記画像処理装置の印刷能力によっては実現できない印刷設定が付加された文書を、他の文書と識別可能な形態で表示するように表示手段を制御する制御工程と、
前記表示手段に表示された一覧中の文書を選択的に印刷する印刷工程と、
を実行させることを特徴とする。